(57)【要約】【課題】  主催者側が具体的な商品を広告することができ、参加者が気楽に参加できるスタンプラリーを開催するためのスタンプラリーを提供する。【解決手段】  ユーザー端末Ａと、主催者端末Ｂと、管理者端末Ｃとからなるスタンプラリーシステムであって、ユーザー端末Ａは、スキャン手段101と、ユーザー情報書き込み手段102と、送信手段103と、前記画面を受信する受信手段104とを有し、主催者端末Ｂは、スタンプを受信する受信手段201と、スタンプを読み取る読取手段202と前記画面を蓄積するページ蓄積手段203と、前記ページ画面を選択するページ選択手段204と、前記画面をユーザー端末Ａに送信する送信手段205とを有し、管理者端末Ｃは、前記画面を受信する受信手段301と、ポイント蓄積手段302と、前記スタンプ数を書き換えるポイント書換手段303とを有することを特徴とするスタンプラリーシステム。【選択図】  図１
2005149244.tif 000002
【特許請求の範囲】
【請求項１】
スタンプを集めて賞品を得たいユーザーの下にある１又は複数のユーザー端末と、
スタンプラリーを主催して賞品を提供する１又は複数の主催者端末と、
主催者が主催するスタンプラリーを管理し、各スタンプラリーにおいてユーザーが集めたスタンプ数を蓄積する管理者端末とからなるスタンプラリーシステムであって、
ユーザー端末は、
スタンプをスキャンするスキャン手段と、
広告入りポイントオリジナルページ画面にユーザーを特定するための情報を書き込むユーザー情報書き込み手段と、
前記スキャン手段のスキャンしたスタンプを主催者端末に送信すると共に、
前記ユーザー情報書き込み手段が書き込みを行った広告入りポイントオリジナルページ画面を管理者端末に送信する送信手段と、
主催者端末から送信された広告入りポイントオリジナルページ画面を受信する受信手段とを有し、
主催者端末は、
ユーザー端末から送信されたスタンプを受信する受信手段と、
スタンプを読み取る読取手段と、
広告入りポイントオリジナルページ画面を蓄積するページ蓄積手段と、
前記読取手段が読み取ったスタンプに対応する広告入りポイントオリジナルページ画面を前記ページ蓄積手段が蓄積する前記ページ画面の中から選択するページ選択手段と、
広告入りポイントオリジナルページ画面をユーザー端末に送信する送信手段とを有し、
管理者端末は、
前記送信手段から送信された広告入りポイントオリジナルページ画面を受信する受信手段と、
各主催者のスタンプラリーにおけるユーザーのそれぞれのスタンプ数を蓄積するポイント蓄積手段と、
前記ポイント蓄積手段に蓄積されたユーザーのスタンプ数を書き換えるポイント書換手段とを有することを特徴とするスタンプラリーシステム。
【請求項２】
前記スタンプが、二次元コードである請求項１に記載のスタンプラリーシステム。
【請求項３】
前記ユーザー端末の受信手段は、管理者端末から送信されたスタンプが登録された旨のメールをさらに受信し、
前記管理者端末は、
ユーザー宛にスタンプが登録された旨を知らせるメールを作成するメール作成手段と、
前記メール作成手段が作成したメールを前記ユーザー端末へ送信する送信手段とをさらに有することを特徴とする請求項１又は２に記載のスタンプラリーシステム。
【請求項４】
前記ユーザー端末の受信手段は、前記管理者端末から送信されたスタンプが規定枚数に達した旨のメールをさらに受信し、
前記管理者端末のポイント蓄積手段は、スタンプ数が規定枚数に達したか否かをさらに判断し、
前記メール作成手段は、ユーザー宛にスタンプ数が規定枚数に達した旨を知らせるメールをさらに作成し、
前記送信手段は、前記メール作成手段が作成したメールをユーザー端末へ送信することを特徴とする請求項１〜３のいずれかに記載のスタンプラリーシステム。
【請求項５】
前記ユーザー端末は、ユーザー端末の概略位置を特定する位置特定手段を更に有すると共に、
前記ユーザー端末の送信手段は、メールと共にユーザー端末の存在する概略位置を主催者端末に送信するとともに、
主催者端末の受信手段は、ユーザー端末から送信されたスタンプとともに概略位置を受信すると共に、
概略位置とスタンプに記録されたスタンプの設置場所を照合する照合手段を更に有することを特徴とする、請求項１〜４のいずれかに記載のスタンプラリーシステム。
【請求項６】
前記主催者端末は、照合手段が概略位置とスタンプに記録されたスタンプの設置場所が一致しないと判断した場合に、その旨を知らせるメールを作成するメール作成手段を更に有し、
前記主催者端末の送信手段は、前記メール作成手段が作成したメールをユーザー端末に送信することを特徴とする、請求項５に記載のスタンプラリーシステム。
【請求項７】
前記主催者端末は、前記管理者端末のポイント蓄積手段に蓄積された当該主催者のスタンプラリーにおけるユーザーのそれぞれのスタンプ数を照会するためのポイント照会手段をさらに有することを特徴とする、請求項１〜６のいずれかに記載のスタンプラリーシステム。
【請求項８】
前記ユーザー端末は、スタンプラリーに参加したい場合に、少なくともユーザー端末のメールアドレスを含むユーザーを特定するための情報を知らせるメールを作成するメール作成手段をさらに有し、
前記ユーザー端末の送信手段は前記メール作成手段が作成したメールを前記管理者端末へ送信するものであり、さらに、
前記管理者端末の受信手段は前記ユーザー端末からのメールを受信すると共に、
前記ポイント蓄積手段にそのユーザーに関する情報を新たに記録するユーザー登録手段を有することを特徴とする、請求項１〜７のいずれかに記載のスタンプラリーシステム。
【請求項９】
前記管理者端末のユーザー登録手段は、更に、スタンプ送信元のユーザー端末がそのスタンプラリーに登録しているかどうかを判断し、
前記管理者端末のメール作成手段は、スタンプラリーに未登録のユーザー端末に対し、登録を促すメールを作成し、
前記管理者端末の送信手段は、前記メール作成手段が作成したメールをユーザー端末へ送信することを特徴とする請求項８記載のスタンプラリーシステム。
【請求項１０】
前記ユーザー端末の送信手段は、さらに、スタンプを別のユーザー端末に送信可能であり、
かつ、前記ユーザー端末の受信手段は、さらに、スタンプを別のユーザー端末に受信可能であることを特徴とする請求項１〜９のいずれかに記載のスタンプラリーシステム。
【発明の詳細な説明】
【技術分野】
【０００１】
本発明は、スタンプラリーシステムに関し、詳しくは、ユーザーに対し商品の広告を効果的に行うことのできるスタンプラリーシステムに関する。
【背景技術】
【０００２】
ファーストフード店等の小売業者や鉄道会社等は、集客目的のイベントとしてしばしばスタンプラリーを主催することがある。スタンプラリーとは店や駅等の複数の場所にスタンプを設置し、参加者にこれらのスタンプを集めて来てもらい、全てのスタンプを集めると主催者が景品や賞品（以下、賞品という）を与えるといったイベントである。
【０００３】
その結果、近年普及が進む携帯電話機、特にカメラ付きの携帯電話機を利用してスタンプラリーを行う方法が提案された（特許文献１参照）。
しかしながら、従来のスタンプラリーにおいては、参加者は店舗を回ってスタンプを集めるだけなので、主催者が、参加者に自社の具体的な商品を広告することまではできなかった。また、参加者はエントリーするのに、用紙をもらいに特定のスタンプ設置場所へ行く必要があったり、賞品や景品をもらうのに特定の店舗へ特定の時間に行く必要がある等、参加者側にも負担を強いることが多く、気楽に参加することができなかった。
【特許文献１】特開２００２−１３２６１０号公報
【発明の開示】
【発明が解決しようとする課題】
【０００４】
本発明は、主催者側が、参加者に具体的な商品を広告することができ、スタンプラリーを安価かつ容易に開催可能とすると共に、参加者が気楽に参加できるスタンプラリーを開催するためのスタンプラリーを提供することを目的とする。
【課題を解決するための手段】
【０００５】
本発明者らは、上記目的を達成すべく鋭意検討を重ねた。その結果、近年普及が進むカメラ付きでネットワークを介してイメージの送受信可能な携帯電話機を利用してスタンプラリーを行うことにより、上記目的を達成することができることを見出し、本発明に到達した。
【０００６】
即ち、請求項１にかかる本発明は、スタンプを集めて賞品を得たいユーザーの下にある１又は複数のユーザー端末と、スタンプラリーを主催して賞品を提供する１又は複数の主催者端末と、主催者が主催するスタンプラリーを管理し、各スタンプラリーにおいてユーザーが集めたスタンプ数を蓄積する管理者端末とからなるスタンプラリーシステムであって、
ユーザー端末は、
スタンプをスキャンするスキャン手段と、
広告入りポイントオリジナルページ画面にユーザーを特定するための情報を書き込むユーザー情報書き込み手段と、
前記スキャン手段のスキャンしたスタンプを主催者端末に送信すると共に、前記ユーザー情報書き込み手段が書き込みを行った広告入りポイントオリジナルページ画面を管理者端末に送信する送信手段と、
主催者端末から送信された広告入りポイントオリジナルページ画面を受信する受信手段とを有し、
主催者端末は、
ユーザー端末から送信されたスタンプを受信する受信手段と、
スタンプを読み取る読取手段と、
広告入りポイントオリジナルページ画面を蓄積するページ蓄積手段と、
前記読取手段が読み取ったスタンプに対応する広告入りポイントオリジナルページ画面を前記ページ蓄積手段が蓄積する前記ページ画面の中から選択するページ選択手段と、
広告入りポイントオリジナルページ画面をユーザー端末に送信する送信手段とを有し、
管理者端末は、
前記送信手段から送信された広告入りポイントオリジナルページ画面を受信する受信手段と、
各主催者のスタンプラリーにおけるユーザーのそれぞれのスタンプ数を蓄積するポイント蓄積手段と、
前記ポイント蓄積手段に蓄積されたユーザーのスタンプ数を書き換えるポイント書換手段とを有することを特徴とするスタンプラリーシステムである。
【０００７】
ここで、請求項２に記載するように、スタンプが、二次元コードであることが好ましい。
また、請求項３に記載するように、
ユーザー端末の受信手段は、管理者端末から送信されたスタンプが登録された旨のメールをさらに受信し、
管理者端末は、ユーザー宛にスタンプが登録された旨を知らせるメールを作成するメール作成手段と、
前記メール作成手段が作成したメールをユーザー端末へ送信する送信手段とをさらに有することが好ましい。
【０００８】
更に、請求項４に記載するように、
ユーザー端末の受信手段は、管理者端末から送信されたスタンプが規定枚数に達した旨のメールをさらに受信し、
管理者端末のポイント蓄積手段は、スタンプ数が規定枚数に達したか否かをさらに判断し、
メール作成手段は、ユーザー宛にスタンプ数が規定枚数に達した旨を知らせるメールをさらに作成し、
送信手段は、前記メール作成手段が作成したメールをユーザー端末へ送信することが好ましい。
【０００９】
そして、請求項５に記載するように、
ユーザー端末は、ユーザー端末の概略位置を特定する位置特定手段を更に有すると共に、
ユーザー端末の送信手段は、メールと共にユーザー端末の存在する概略位置を主催者端末に送信するとともに、
主催者端末の受信手段は、ユーザー端末から送信されたスタンプとともに概略位置を受信すると共に、
概略位置とスタンプに記録されたスタンプの設置場所を照合する照合手段を更に有することが好ましい。
【００１０】
この場合において、請求項６に記載するように、主催者端末は、照合手段が概略位置とスタンプに記録されたスタンプの設置場所が一致しないと判断した場合に、その旨を知らせるメールを作成するメール作成手段を更に有し、
主催者端末の送信手段は、前記メール作成手段が作成したメールをユーザー端末に送信することが好ましい。
【００１１】
そしてまた、請求項７に記載するように、
主催者端末は、管理者端末のポイント蓄積手段に蓄積された当該主催者のスタンプラリーにおけるユーザーのそれぞれのスタンプ数を照会するためのポイント照会手段をさらに有することが好ましい。
【００１２】
さらに、請求項８に記載するように、
ユーザー端末は、スタンプラリーに参加したい場合に、少なくともユーザー端末のメールアドレスを含むユーザーを特定するための情報を知らせるメールを作成するメール作成手段をさらに有し、
ユーザー端末の送信手段は、さらに、前記メール作成手段が作成したメールを管理者端末へ送信するものであり、さらに、
管理者端末の受信手段は、さらに、前記ユーザー端末からのメールを受信すると共に、
ポイント蓄積手段にそのユーザーに関する情報を新たに記録するユーザー登録手段をさらに有することが好ましい。
【００１３】
この場合において、請求項９に記載するように、
管理者端末のユーザー登録手段は、更に、スタンプ送信元のユーザー端末がそのスタンプラリーに登録しているかどうかを判断し、
管理者端末のメール作成手段は、スタンプラリーに未登録のユーザー端末に対し、登録を促すメールを作成し、
管理者端末の送信手段は、前記メール作成手段が作成したメールをユーザー端末へ送信することを特徴とする請求項８記載のスタンプラリーシステム。
【００１４】
さらにまた、請求項１０に記載するように、
ユーザー端末の送信手段は、さらに、スタンプを別のユーザー端末に送信可能であり、
かつ、ユーザー端末の受信手段は、さらに、スタンプを別のユーザー端末に受信可能であることが好ましい。
【発明の効果】
【００１５】
本発明のスタンプラリーシステムによれば、主催者が、ユーザーに具体的な商品を広告したり特売等の通知を速やかに行うことができると共に、スタンプラリーの時間や期間によるスタンプ（ポイント）をデータベースで管理するので、主催者はスタンプラリーを安価かつ容易に開催することができる。また、本発明のシステムによればスタンプをいわゆるデジタル処理するため、ユーザーは、スタンプカードを持たずに、容易にエントリーでき、賞品をもらうための労力が軽減されるので、複数のスタンプラリーに気楽に参加でき、かつ楽しむことができる。
【発明を実施するための最良の形態】
【００１６】
以下、本発明について詳細に説明する。
本発明のスタンプラリーシステムは、図１にその概要を示すように、１又は複数のユーザー端末Ａと、１又は複数の主催者端末Ｂと、主催者が主催するスタンプラリーを管理する管理者端末Ｃとからなる。これらの端末は、インターネット等のネットワークにより互いに送受信可能である。
スタンプラリーの実施期間、形式等については、特に制限はないが、主催者と管理者との間で予め決めておく必要がある。
【００１７】
ユーザー端末Ａは、スタンプを集めて賞品を得たいユーザー（即ち、スタンプラリー参加者或いは参加を望む者）の下にある端末である。ユーザー端末Ａは１又は複数であり、一人のユーザーの下に複数のユーザー端末Ａが存在するものであっても良い。このようなユーザー端末Ａとしては、例えばインターネット等のネットワーク接続可能な携帯電話、特にカメラ付きでネットワークを介してイメージの送受信可能な携帯電話機等のモバイルが挙げられる。
【００１８】
ユーザー端末Ａは、図２に示すように、スキャン手段１０１、ユーザー情報書き込み手段１０２、送信手段１０３及び受信手段１０４を備えている。スタンプラリーに参加したいユーザーがメールで簡単に参加を申し込めるようにできる点でメール作成手段１０５を設けることが好ましい。また、ユーザーがその二次元コード（例えばＱＲコード）を確かにスタンプの設置場所から送信したか否かを判断でき、他の人間がスキャンしてきたコードをコピーしたものでないかをチェックできる点で、位置特定手段１０６を設けることが好ましい。
【００１９】
スキャン手段１０１は、スタンプをスキャン（撮影等）するためのものであり、具体的にはカメラ付き携帯電話機のカメラを挙げることができる。
ここで、スタンプとは、スタンプの設置場所に関する情報、スタンプが設置された日時に関する情報、スタンプラリーの主催者に関する情報等が記録されたものであり、その記録内容は主催者の希望・提案するスタンプラリーの形式に応じて適宜決めることができる。例えば、異なる場所のスタンプを集める形式のスタンプラリーの場合には、少なくともスタンプの設置場所に関する情報がスタンプに記録されていることが必要である。また、異なる日のスタンプを集める形式のスタンプラリーの場合には、少なくともスタンプの設置場所に関する情報がスタンプに記録されていることが必要である。
尚、本発明において、「ポイント」とは「スタンプ」の数を表すが、「スタンプ」を「ポイント」と言い換えて用いる場合がある。
【００２０】
スタンプの設置場所に関する情報としては、具体的には例えばその場所の店名（例えば、ファーストフード店）、駅名（例えば、東京駅、新宿駅、明大前駅など）等が挙げられる。また、スタンプが設置された日時に関する情報としては、具体的には例えば日にち、午前／午後の別等が挙げられる。更に、スタンプラリーの主催者に関する情報としては、具体的には例えば主催者のＵＲＬやメールアドレス、それらへのリンク（Ｗｅｂ  ｔｏ  ＵＲＬ、Ｍａｉｌ  ｔｏ  ａｄｒｅｓｓ）等が挙げられる。
これらの情報の記録形式については特に条件はなく、テキスト形式、ＨＴＭＬ形式等のいずれであっても良い。
【００２１】
このようなスタンプとしては、例えば、バーコードや二次元コード（一例としてＱＲコード）の印刷されたカードを挙げることができるが、縦、横二方向に情報を持つことにより多量の情報を記録できる点で、図３のような二次元コード（ＱＲコード）の印刷されたカード（オープンシステム）を用いることが好ましい。二次元コード（ＱＲコード）としては、ＩＳＯ／ＩＥＣ１８００４、ＪＩＳ  Ｘ０５１０に記載のもの（又は、特開平１０−２０８００１公報、特開平１０−２１４３１７公報、特開平１１−３２８３０１公報、特開２０００−２７６５６４公報など）を作成して使用することができる。また、図４のように、二次元コード（ＱＲコード）の隣にスクラッチ形式の番号が印刷されたカード（クローズタイプ）とすることにより、そのスタンプの設置場所やユーザーの情報を確実に管理することができる。
【００２２】
ユーザー情報書き込み手段１０２は、広告入りポイントオリジナルページ画面にユーザーを特定するための情報を書き込む。ユーザーを特定するための情報としては、例えばユーザーパスワード等が挙げられる。
【００２３】
送信手段１０３は、スキャン手段のスキャンしたスタンプを、主催者端末に送信すると共に、ユーザー情報書き込み手段１０２が書き込みを行った広告入りポイントオリジナルページ画面を管理者端末Ｃに送信する。
また、後述のようにメール作成手段１０５を設ける場合、送信手段１０３は、メール作成手段１０５が作成したメールを管理者端末Ｃへ送信する。
さらに、送信手段１０３は、後述のように位置特定手段を設ける場合には、メールと共にユーザー端末の存在する概略位置を主催者端末に送信する。
【００２４】
受信手段１０４は、主催者端末Ｂから送信された広告入りポイントオリジナルページ画面を受信する。また、管理者端末Ｃが登録した旨のメールをユーザー端末Ａ宛てに送信する場合、管理者端末Ｃから送信されたスタンプが登録された旨のメールを受信する。メールを受信すると、ユーザーは、１つのスタンプを獲得したことになる。
更に、受信手段１０４は、管理者端末Ｃがスタンプ数が規定枚数に達した旨のメールをユーザー端末Ａ宛てに送信する場合、管理者端末から送信されたスタンプが規定枚数に達した旨のメールをさらに受信する。
【００２５】
メール作成手段１０５は、スタンプラリーに参加したい場合に、少なくともユーザー端末Ａのメールアドレスを含むユーザーを特定するための情報を知らせるメールを作成する。ユーザーを特定するための情報としては、ユーザー端末Ａのメールアドレスの他、ユーザーの氏名、電話番号、住所、参加したいスタンプラリーの主催者名等が挙げられる。
位置特定手段１０６は、ユーザー端末の概略位置を特定する。
ユーザーがその二次元コード（ＱＲコード）を確かにスタンプの設置場所から送信したか否かを判断でき、他の人間がスキャンしてきたコードをコピーしたものでないかをチェックできるので好ましい。位置特定手段としては、例えば、ユーザー端末ＡがＮＴＴドコモの携帯電話（ｉモード）である場合ｉエリア機能を利用することができる。また、ａｕ携帯電話サービスの簡易位置情報サービスや、ボーダフォン携帯電話サービスの位置情報サービスなどを用いることもできる。
【００２６】
尚、送信手段１０３と受信手段１０４は、スタンプを別のユーザー端末に送信または受信可能として、スタンプをユーザー端末Ａ同士で送受信可能とすることにより、例えば複数人のユーザーのそれぞれが手分けして別のスタンプ設置場所に行ってスタンプをスキャンし、他のユーザーとの間で交換しあうと、各ユーザーは１カ所に行くだけで複数のスタンプが集められると共に、広告効果も増大する。
この場合、スタンプを交換し合ったユーザーと各スタンプ設置場所を回ったユーザーとの不公平をなくすべく賞品を別々にする場合には、ユーザー端末Ａ同士で送受信した場合は、広告入りポイントオリジナルページ画面にオリジナルである旨の表示が残るようにすることが好ましい。
例えば、各スタンプ設置場所を回ったユーザーの場合、管理者端末Ｃに送信する際に設置場所の番号や送受信履歴が自動的或いはユーザーの手入力によりに入力されるようにし、コピー（メール交換で獲得した画面）を送ってきた人は、その番号がないということで管理者端末Ｃで区別可能とすることができる。
また、管理者端末Ｃへ送信する際に、送信場所情報も一緒に送られるようにすれば、設置場所と送信場所との一致、不一致を見て管理者端末Ｃが区別できる。
【００２７】
主催者端末Ｂは、スタンプラリーを主催して賞品を提供するファーストフード店、飲食店等の小売業者、鉄道業者などのスタンプラリー主催者の基にある端末である。主催者端末Ｂは１又は複数であり、個々の主催者の下に複数の主催者端末Ｂが存在するものであっても良い。このような主催者端末Ｂとしては、例えばインターネット等のネットワーク接続可能なパソコンが挙げられる。
主催者端末Ｂは、図５に示すように、受信手段２０１、読み取り手段２０２、ページ蓄積手段２０３、ページ選択手段２０４、及び送信手段２０５を備える。更に、管理者端末Ｃに蓄積された各ユーザーのポイント蓄積状況を容易に照会できるようにするためには、ポイント照会手段２０６を備えることが好ましい。また、ユーザー端末Ａに位置特定手段１０６を設ける場合には、照合手段２０７、及びメール作成手段２０８を設けることが好ましい。
【００２８】
受信手段２０１は、ユーザー端末から送信されたスタンプを受信する。
また、ユーザー端末Ａに位置特定手段１０６を設ける場合は、受信手段２０１は、ユーザー端末から送信されたスタンプとともに概略位置を受信する。
【００２９】
読取手段２０２は、受信したスタンプを読み取る。即ち、スタンプに記録されたスタンプの設置場所に関する情報、スタンプが設置された日時に関する情報、スタンプラリーの主催者に関する情報等を読み取る。スタンプが例えば、二次元コード（ＱＲコード）の場合、ＱＲコードに記入されている「ＵＲＬ」を読みとる。
【００３０】
ページ蓄積手段２０３は、広告入りポイントオリジナルページ画面を蓄積する。広告入りポイントオリジナルページ画面は、スタンプラリーの主催者（広告主）の広告の入ったページである。
ここで、広告入りポイントオリジナルページ画面には、ユーザーが登録されているか否かを少なくともユーザーを特定するための情報を記載可能であることが必要である。ユーザーを特定するための情報としては例えば、管理者から発行されたユーザーパスワード等が挙げられ、広告入りポイントオリジナルページ画面には、このパスワードを記入してもらう空欄を設けたものとすることができる。そのほか、広告入りポイントオリジナルページ画面には、図６及び図７にその一例を示すようにスタンプ（ポイント）や設置場所名（例えば、明大前駅）及び管理者端末へのリンク（「送信」を押すだけで管理者端末へ送信可能）、他のユーザー端末に容易に送信（転送）可能とするためのリンクが表示される。例えば、「友達に伝える」というような表示である。
【００３１】
ページ選択手段２０４は、前記読取手段２０２が読み取ったスタンプに対応する広告入りポイントオリジナルページ画面をページ蓄積手段２０３が蓄積するページ画面の中から選択する。
【００３２】
送信手段２０５は、広告入りポイントオリジナルページ画面をユーザー端末に送信する。広告入りポイントオリジナルページは、ユーザー端末Ａに、時間をおかずに送信され表示されることが好ましい。
また、送信手段２０５は、照合手段２０７やメール作成手段２０８を設ける場合は、メール作成手段が作成したメールをユーザー端末に送信することが好ましい。
【００３３】
ポイント照会手段２０６は、管理者端末Ｃのポイント蓄積手段３０２（図８参照）に蓄積された当該主催者のスタンプラリーにおけるユーザーのそれぞれのスタンプ数を照会する。スタンプ数を照会することにより、ユーザーのスタンプ数を知ることができ、旅行割引券等の賞品送付対象となるユーザーを簡単に特定することができると共に、スタンプラリーを期間限定で開催する際にまだスタンプ数の満たないユーザーに通知をすべく抽出することができる。このようなポイント照会手段２０６は、定期的に（例えば毎日午後５時、あるいは毎週月曜日の午前１２時）ポイントを照会するものであってもよいし、不定期に担当者がポイントを照会するものであっても良い。
ここで、後述するようにポイント蓄積手段３０２に、ユーザー端末同士で送受信した旨が書きこまれている場合には、ポイント照会手段２０６により照会した主催者は、賞品や景品の種類を実際に設置場所へ行ったユーザーの賞品（例えば、バッグ）よりもランクの低いもの（例えば、キーホルダー）に変更することができる。
【００３４】
照合手段２０７は、概略位置とスタンプに記録されたスタンプの設置場所を照合する。例えば、位置特定手段１０６がＮＴＴドコモ携帯電話のｉエリアの場合、照合手段２０７は、ＮＴＴドコモの位置情報システム（例えば、特開２００１−１０３５３７号公報）とすることができる。
【００３５】
メール作成手段２０８は、照合手段が概略位置とスタンプに記録されたスタンプの設置場所が一致しないと判断した場合に、その旨を知らせるメールを作成する。
また、メール作成手段２０８は、上述のようにスタンプラリーを期間限定で開催する際に、その期限が近いことを知らせるメールを作成し、送信手段２０５を介してユーザー端末Ａに送信することもできる。
【００３６】
管理者端末Ｃは、主催者が主催するスタンプラリーを管理し、各スタンプラリーにおいてユーザーが集めたスタンプ数を蓄積する管理者の下にある端末である。このような管理者端末Ｃとしては、例えばインターネット等のネットワーク接続可能なサーバーが挙げられる。
管理者端末Ｃは、図８に示すように、受信手段３０１、ポイント蓄積手段３０２、及びポイント書換手段３０３を備える。ここで、ユーザーにスタンプが登録されたことや、スタンプが規定枚数に達したことを早く知らせることができる点で、メール作成手段３０４及び送信手段３０５を備えることが好ましい。また、ユーザー登録を迅速に行うために、ユーザー登録手段３０６を設けることが好ましい。
【００３７】
受信手段３０１は、主催者端末Ｂから広告入りポイントオリジナルページ画面をユーザー端末に送信した旨を受信する。また、受信手段３０１は、ユーザー端末の送信手段から送信された広告入りポイントオリジナルページ画面を受信する。
さらに、後述のユーザー登録手段３０６を設ける場合は、受信手段３０１は前記ユーザー端末Ａからのメールを受信する。
【００３８】
ポイント蓄積手段３０２は、各主催者のスタンプラリーにおけるユーザーのそれぞれのスタンプ数を蓄積する。例えば、図９に示すように、各主催者のスタンプラリーごとにデータベース（Ａ（ファーストフード店），Ｂ（鉄道），Ｃ）が用意され、それぞれユーザーを特定するための情報（例えば、ユーザーパスワード（ＰＷ）、氏名）及びそのポイント数が蓄積された形とすることができる。具体的には、ユーザーごとに例えば図１０に示すような、ユーザー端末に送信可能なカード（ＭＹカード）として管理することができる。
また、ポイント蓄積手段３０２は、スタンプ数が規定枚数に達したか否かをさらに判断することが好ましい。
【００３９】
ポイント書換手段３０３は、前記ポイント蓄積手段に蓄積されたユーザーのスタンプ数を書き換える。例えば上述の例の場合、ユーザーがファーストフード店が主催するスタンプラリーのポイントを集めている場合は、Ａのデータベースに蓄積されたそのユーザーのスタンプ数が一つ加算される形に書き換えられる。一方、ユーザーが鉄道会社が主催するスタンプラリーのポイントを集めている場合は、Ｂのデータベースに蓄積されたそのユーザーのスタンプ数が一つ加算される形に書換られる。
また、ポイント書換手段３０４は、広告入りポイントオリジナルページ画面にユーザーを特定するための情報が書き込まれている場合は、ユーザーを特定するための情報を確認してからポイント蓄積手段３０２に蓄積されたユーザーのスタンプ数を書き換える。
そしてまた、上述のようにスタンプを交換可能としてユーザー端末同士で送受信した場合は、その履歴が残るようなスタンプとする場合、ポイント書換部３０３は、ポイント蓄積手段に蓄積されたユーザーのスタンプ数を書き換える際、ユーザー端末同士で送受信した旨を書き込む。
【００４０】
メール作成手段３０４は、ユーザー宛にスタンプが登録された旨を知らせるメールを作成する。後述するようにユーザーパスワードを付与する場合は、メール作成手段３０４はこのユーザーパスワードを含めるメールを作成することが好ましい。また、ＭＹカードとしてユーザーごとのポイントを管理する場合、ＭＹカードログイン可能なメールとしてユーザーに提示することが好ましい。
ポイント蓄積手段３０２が、スタンプ数が規定枚数に達したか否かを判断する場合、メール作成手段３０４は、ユーザー宛にスタンプ数が規定枚数に達した旨を知らせるメールをさらに作成することが好ましい。尚、上述のようにＭＹカードへのログイン可能なメールとしてを送付する場合、ユーザーはスタンプ数が規定枚数に達した旨を知らされなくとも、自分のポイントを容易に知ることができることになる。
また、メール作成手段３０４は、ユーザー登録手段３０６がユーザー登録又は未登録の別を判断できるようにする場合は、スタンプラリーに未登録のユーザー端末に対し、登録を促すメールを作成する。
【００４１】
送信手段３０５は、前記メール作成手段３０４が作成したメールをユーザー端末へ送信する。また、送信手段３０４は、前記メール作成手段３０４がユーザー登録を促すメール作成する場合は、これもユーザー端末へ送信する。
【００４２】
ユーザー登録手段３０６は、ポイント蓄積手段３０２にそのユーザーに関する情報を新たに記録する。ここで、ユーザーに関する情報としては、ユーザーのメールアドレスの他、名前、年齢、郵便番号、住所、電話番号、メールアドレス、電話番号のほか、ユーザーを特定する為の情報としてユーザーパスワード（ＩＤ及びＰａｓｓ）を含めることにより、スタンプ数の蓄積の際にユーザーが本システムの利用者か否かを容易に判断することができるので、好ましい。
また、ユーザー登録手段３０６は、更に、スタンプ送信元のユーザー端末がそのスタンプラリーに登録しているかどうかを判断することができるようにすると、ユーザーの登録が円滑に行われる点で好ましい。
【００４３】
次に、本発明のシステムによりスタンプラリーを実施する際の、ユーザー、主催者及び管理者における手順の一例について説明する。
まず、図１１は、スタンプにユーザー端末同士で送受信した履歴が残る場合の手順である。
まず、前提として、ユーザーがファーストフード店、駅などのスタンプの設置場所において、集めたいスタンプ（オープンタイプでもクローズタイプでも良い）を見つける。ユーザー端末Ａのスキャン手段１０１を用いてスタンプをスキャンする（ステップ１０１）。送信手段１０３は、スキャン手段１０１のスキャンしたスタンプを、主催者端末Ｂに送信し（ステップ１０２）、主催者端末Ｂの受信手段２０１は、ユーザー端末Ａから送信されたスタンプを受信する（ステップ１０３）。ユーザーがそのスタンプについてのスタンプラリーに既にエントリーしている場合は（ステップ１０４のＹｅｓ）、そのままステップ１０５に進む。一方、スタンプラリーへのエントリーがまだの場合は（ステップ１０４のＮｏ）、メール作成手段１０５が、少なくともユーザー端末Ａのメールアドレスを含むユーザーを特定するための情報を知らせるメールを作成し（ステップ１０４−１）、送信手段が、前記メール作成手段１０５が作成したメールを管理者端末Ｃへ送信する（ステップ１０４−２）。管理者端末Ｃの受信手段３０１が、前記ユーザー端末Ａからのメールを受信すると、ユーザー登録手段３０６が、ポイント蓄積手段３０２にそのユーザーに関する情報を新たに記録し（ステップ１０４−３）、ユーザー端末Ａへ登録がすんだ旨及びユーザーパスワード（ＩＤおよびＰａｓｓ）を送信する。そして、ステップ１０５に進む。
【００４４】
次に、主催者端末Ｂの受信手段２０１は、ユーザー端末Ａから送信されたスタンプを受信すると（ステップ１０４）、読取手段２０２がスタンプを読み取り（ステップ１０５）、ページ選択手段２０４は、前記読取手段２０２が読み取ったスタンプに対応する広告入りポイントオリジナルページ画面をページ蓄積手段２０３が蓄積するページ画面の中から選択する（ステップ１０６）。送信手段２０５は、広告入りポイントオリジナルページ画面をユーザー端末Ａに送信する（ステップ１０７）。ユーザー端末Ａのユーザー情報書き込み手段１０２は、広告入りポイントオリジナルページ画面にユーザーパスワードの情報を書き込んで（ステップ１０８）、これを管理者端末Ｃに送信する（ステップ１０９）。
【００４５】
続いて、管理者端末Ｃの受信手段３０１は、ユーザー端末Ａから広告入りポイントオリジナルページ画面を受信すると（ステップ１１０）、ポイント書換手段３０３が、ユーザー端末同士で送受信した履歴が残っているかどうかを判断し、残っている場合は（ステップ１１１のＹｅｓ）ユーザー端末同士で送受信した旨を書き込みながら、そのユーザーのスタンプ数を書き換える（ステップ１１２）。一方、残っていない場合は（ステップ１１１のＮｏ）、単にそのユーザーのスタンプ数を書き換える（ステップ１１１−１）。メール作成手段３０４は、ユーザー宛にスタンプが登録された旨を知らせるメールを作成し（ステップ１１３）、送信手段３０５が、前記メール作成手段３０４が作成したメールをユーザー端末へ送信する（ステップ１１４）。ここで、スタンプ数が規定枚数に達したとポイント蓄積手段３０２が判断した場合（ステップ１１５のＹｅｓ）、メール作成手段３０４はユーザー宛にスタンプ数が規定枚数たまった旨を知らせるメールを作成し（ステップ１１６）、前記メール作成手段３０４が作成したメールをユーザー端末へ送信し（ステップ１１７）、終了する。一方、スタンプ数が規定枚数に達していない場合（ステップ１１５のＮｏ）、ステップ１０１に戻る。
【００４６】
次に、本発明のシステムによりスタンプラリーを実施する際の、ユーザー、主催者及び管理者における手順の他の例について説明する。図１２は、ユーザー同士でスタンプの送受信によるやりとりができない場合の手順を示す。
まず、前提として、ユーザーがファーストフード店、駅などのスタンプの設置場所において、集めたいスタンプ（クローズタイプ）を見つける。スタンプのスクラッチ部分を削り取って番号を露出し、ユーザー端末Ａのスキャン手段１０１を用いてスタンプをスキャンする（ステップ２０１）。送信手段１０３は、スキャン手段１０１のスキャンしたスタンプを、主催者端末Ｂに送信する（ステップ２０２）。
【００４７】
次に、主催者端末Ｂの受信手段２０１は、ユーザー端末Ａから送信されたスタンプを受信すると（ステップ２０３）、読取手段２０２がスタンプを読み取り（ステップ２０４）、ページ選択手段２０４は、前記読取手段２０２が読み取ったスタンプに対応する広告入りポイントオリジナルページ画面をページ蓄積手段２０３が蓄積するページ画面の中から選択する（ステップ２０５）。送信手段２０５は、広告入りポイントオリジナルページ画面をユーザー端末Ａに送信する（ステップ２０６）。ユーザー端末Ａの送信手段は、管理者端末Ｃにこれを送信する（ステップ２０７）。
【００４８】
続いて、管理者端末Ｃの受信手段３０１は、ユーザー端末Ａから広告入りポイントオリジナルページ画面を受信すると（ステップ２０８）、ユーザー登録手段３０６が、ユーザーがそのスタンプについてのスタンプラリーにエントリーしているかどうかを判断し、エントリーしている場合は（ステップ２０９のＹｅｓ）、ポイント書換手段３０３がそのユーザーのスタンプ数を書き換えて（ステップ２１０）、メール作成手段３０４は、ユーザー宛にスタンプが登録された旨を知らせると共にＭＹカードへのログイン可能なメールを作成し（ステップ２１１）、送信手段３０５が、前記メール作成手段３０４が作成したメールをユーザー端末へ送信する（ステップ２１２）。
一方、スタンプラリーへのエントリーがまだの場合は（ステップ２０９のＮｏ）、メール作成手段３０４がエントリーを促すメールを作成し、送信手段３０５が、前記メール作成手段３０４が作成したメールをユーザー端末へ送信する（ステップ２０９−１）。すると、ユーザー端末Ａのメール作成手段１０５が、少なくともユーザー端末Ａのメールアドレスを含むユーザーを特定するための情報を知らせるメールを作成し（ステップ２０９−２）、送信手段が、前記メール作成手段１０５が作成したメールを管理者端末Ｃへ送信する（ステップ２０９−３）。管理者端末Ｃの受信手段３０１が、前記ユーザー端末Ａからのメールを受信すると（ステップ２０９−４）、ユーザー登録手段３０６が、ポイント蓄積手段３０２にそのユーザーに関する情報を新たに記録し（ステップ２０９−５）、ユーザー端末Ａへ登録がすんだ旨及びユーザーパスワード（ＩＤ及びＰａｓｓ）をＭＹカードへのログイン可能なメールとして送信する（ステップ２０９−６）。
尚、本例は近隣に存在する多数の店舗（例えば、ファーストフード店）において実施する場合に好適な形式である。
【００４９】
次に、本発明のシステムによりスタンプラリーを実施する際の、ユーザー、主催者及び管理者における手順の他の例について説明する。図１３は、位置特定手段１０６や照合手段２０７を設けて、ユーザー端末Ａがスタンプ送信時に送信位置もともに管理者端末Ｃに送信する場合の手順を示す。
まず、前提として、ユーザーがファーストフード店、駅などのスタンプの設置場所において、集めたいスタンプを見つける。ユーザー端末Ａのスキャン手段１０１を用いてスタンプをスキャンする（ステップ３０１）。位置特定手段１０６は、ユーザー端末Ａの概略位置を定期的に特定しており、送信手段１０３は、スキャン手段１０１のスキャンしたスタンプと共に、ユーザー端末の存在する概略位置を主催者端末Ｂに送信する（ステップ３０２）。
【００５０】
次に、主催者端末Ｂの受信手段２０１は、ユーザー端末Ａから送信されたスタンプと概略位置を受信すると（ステップ３０３）、読取手段２０２がスタンプを読み取り（ステップ３０４）、照合手段がスタンプに記録されたスタンプの設置場所と、概略位置が一致するか確認し、一致する場合は（ステップ３０５のＹｅｓ）、ページ選択手段２０４は、前記読取手段２０２が読み取ったスタンプに対応する広告入りポイントオリジナルページ画面をページ蓄積手段２０３が蓄積するページ画面の中から選択する（ステップ３０６）。送信手段２０５は、広告入りポイントオリジナルページ画面をユーザー端末Ａに送信する（ステップ３０７）。ユーザー端末Ａの送信手段は、管理者端末Ｃにこれを送信する（ステップ３０８）。
一方、スタンプと概略位置とが一致しない場合は（ステップ３０５のＮｏ）、メール作成手段がその旨のメールを作成してユーザーに送信し（ステップ３０５−１）、手順を終了する。
尚、ステップ３０９以降の手順は、前述した図１２のステップ２０８以降の手順と同様である。
本例は多数の店舗（例えば、ファーストフード店）や駅（鉄道会社）において実施する場合に好適な形式である。
【００５１】
次に、本発明のシステムによりスタンプラリーを実施する際の、ユーザー、主催者及び管理者における手順の他の例について説明する。図１４は、スタンプのみで登録される場合（送受信履歴やユーザー端末の概略位置について判断しない）の手順を示す。
まず、前提として、ユーザーがファーストフード店、駅などのスタンプの設置場所において、集めたいスタンプを見つける。ユーザー端末Ａのスキャン手段１０１を用いてスタンプをスキャンする（ステップ４０１）。送信手段１０３は、スキャン手段１０１のスキャンしたスタンプと共に、ユーザー端末の存在する概略位置を主催者端末Ｂに送信する（ステップ４０２）。
【００５２】
次に、主催者端末Ｂの受信手段２０１は、ユーザー端末Ａから送信されたスタンプを受信すると（ステップ４０３、読取手段２０２がスタンプを読み取り（ステップ４０４）、前記読取手段２０２が読み取ったスタンプに対応する広告入りポイントオリジナルページ画面をページ蓄積手段２０３が蓄積するページ画面の中から選択する（ステップ４０５）。送信手段２０５は、広告入りポイントオリジナルページ画面をユーザー端末Ａに送信する（ステップ４０６）。ユーザー端末Ａの送信手段は、管理者端末Ｃにこれを送信する（ステップ４０７）。
尚、ステップ４０８以降の手順は、前述した図１２のステップ２０８以降の手順と同様である。
本例は新製品の広告を強調したい企業において実施する場合に好適な形式である。
【産業上の利用可能性】
【００５３】
以上説明したように、本発明のスタンプラリーシステムによれば、主催者が、ユーザーに具体的な商品を広告したり特売等の通知を速やかに行うことができると共に、スタンプラリーの時間や期間によるスタンプ（ポイント）をデータベースで管理するので、主催者はスタンプラリーを安価かつ容易に開催することができる。また、本発明のシステムによればスタンプをいわゆるデジタル処理するため、ユーザーは、スタンプカードを持たずに、容易にエントリーでき、賞品をもらうための労力が軽減されるので、複数のスタンプラリーに気楽に参加でき、かつ楽しむことができる。
【図面の簡単な説明】
【００５４】
【図１】本発明のスタンプラリーシステムの概要を示す図である。
【図２】ユーザー端末Ａの構成を示す図である。
【図３】スタンプの一例を示す図である。
【図４】スタンプの一例を示す図である。
【図５】主催者端末Ｂの構成を示す図である。
【図６】広告入りポイントオリジナルページ画面の一例を示す図である。
【図７】広告入りポイントオリジナルページ画面の一例を示す図である。
【図８】管理者端末Ｃの構成を示す図である。
【図９】ポイント蓄積手段３０２の一例を示す図である。
【図１０】ＭＹカードの一例を示す図である。
【図１１】本発明のシステムによりスタンプラリーを実施する際の、ユーザー、主催者及び管理者における手順を示す図である。
【図１２】本発明のシステムによりスタンプラリーを実施する際の、ユーザー、主催者及び管理者における手順を示す図である。
【図１３】本発明のシステムによりスタンプラリーを実施する際の、ユーザー、主催者及び管理者における手順を示す図である。
【図１４】本発明のシステムによりスタンプラリーを実施する際の、ユーザー、主催者及び管理者における手順を示す図である。
【符号の説明】
【００５５】
Ａ  ユーザー端末
Ｂ  主催者端末
Ｃ  管理者端末
１０１  スキャン手段
１０２  ユーザー情報書き込み手段
１０３  送信手段
１０４  受信手段
１０５  メール作成手段
１０６  位置特定手段
２０１  受信手段
２０２  読取手段
２０３  ページ蓄積手段
２０４  ページ選択手段
２０５  送信手段
２０６  ポイント照会手段
２０７  照合手段
２０８  メール作成手段
３０１  受信手段
３０２  ポイント蓄積手段
３０３  ポイント書換手段
３０４  メール作成手段
３０５  送信手段
３０６  ユーザー登録手段
【図１】
2005149244.tif 000003
【図２】
2005149244.tif 000004
【図３】
2005149244.tif 000005
【図４】
2005149244.tif 000006
【図５】
2005149244.tif 000007
【図６】
2005149244.tif 000008
【図７】
2005149244.tif 000009
【図８】
2005149244.tif 000010
【図９】
2005149244.tif 000011
【図１０】
2005149244.tif 000012
【図１１】
2005149244.tif 000013
【図１２】
2005149244.tif 000014
【図１３】
2005149244.tif 000015
【図１４】
2005149244.tif 000016